(57)【要約】【課題】本発明の目的は、騒音を低減しつつ優れた吸込仕事率を発揮することができる電動送風機及びそれを用いた電気掃除機を提供することにある。【解決手段】モータと、モータの回転軸に連結されるファンと、一方が開口された有底形状でありモータを覆うモータハウジングと、ファンを覆うファンハウジングと、モータハウジングの側面を覆うカバーとを有し、モータの回転軸の端部は軸受を介してモータハウジングの底部に支持され、モータハウジングは側面に１つ以上の排気口を有し、カバーは、発泡体からなるカバーベースと、補強部材と、からなり、モータハウジングの開口から底部に向かう方向における補強部材の長さは、モータハウジングの開口から底部に向かう方向におけるカバーベースの長さよりも短く、かつモータハウジングの開口から底部に向かう方向における排気口の長さよりも長く、補強部材を排気口を覆う位置に設けたことを特徴とする。【選択図】  図４
2013085852.tif 000002
【特許請求の範囲】
【請求項１】
モータと、前記モータの回転軸に連結されるファンと、一方が開口された有底形状であり前記モータを覆うモータハウジングと、前記モータハウジングの開口側に設けられ前記ファンを覆うファンハウジングと、前記モータハウジングの側面を覆うカバーとを有し、
前記モータの回転軸の端部は軸受を介して前記モータハウジングの底部に支持され、
前記モータハウジングは側面に１つ以上の排気口を有し、
前記カバーは、発泡体からなるカバーベースと、補強部材と、からなり、
前記モータハウジングの開口から底部に向かう方向における前記補強部材の長さは、前記モータハウジングの開口から底部に向かう方向における前記カバーベースの長さよりも短く、かつ前記モータハウジングの開口から底部に向かう方向における前記排気口の長さよりも長く、
前記補強部材を前記排気口を覆う位置に設けたことを特徴とする電動送風機。
【請求項２】
請求項１に記載の電動送風機において、前記補強部材は、難燃性を有することを特徴とする電動送風機。
【請求項３】
掃除機本体と、該掃除機本体に接続されるホースと、該ホースに接続される延長管と、該延長管に接続される吸口体と、を有し、前記掃除機本体内部に電動送風機を備える電気掃除機において、
前記電動送風機は、請求項１又は２に記載の電動送風機であることを特徴とする電気掃除機。
【発明の詳細な説明】
【技術分野】
【０００１】
本発明は、電動送風機とそれを備える電気掃除機に関する。
【背景技術】
【０００２】
一般に、電気掃除機の電動送風機は、モータと、このモータの回転軸に連結されたファンとがハウジング内に収納されて構成されている。このような電動送風機においては、モータの外径よりも大きい外径のファンが取り付けられており、ハウジングは、モータを収納するための円筒形状のモータハウジングと、ファンを収納するための、モータハウジングよりも拡径した円筒形状のファンハウジングとが一体となるように形成されている。
【０００３】
そして、掃除機本体内に配置された電動送風機は、吸口体を有するホースが接続される掃除機本体の前側に向いてファン側が位置し、掃除機本体の後側に向いてモータ側が位置している。
【０００４】
このような電気掃除機においては、モータが起動してファンが回転すると、ファンがファンハウジングの前に形成された吸入口から空気をファンハウジング内に吸い込み、モータハウジングの後部に形成された排気口から空気を排出する。これにより、電気掃除機は、吸口体及びホースを介して空気を本体内に吸い込むと共に、吸い込んだ空気に含有するゴミを所定の紙パックやサイクロン室で分離した後、空気を電動送風機のハウジング内から排気口を介して電気掃除機の本体外に排出する。
【０００５】
ところで、一般にモータを所定のハウジング内に備える種々の産業機器においては、モータの騒音や振動を低減するために、発泡体からなるカバーをハウジングに設けることがある。したがって、モータの騒音や振動を低減するために、電気掃除機の電動送風機においても、モータハウジングの周囲にカバーを設けることが望ましい。このようなカバーを備えた電動送風機は特許文献１に記載されている。
【０００６】
また、モータハウジングの外周面全体を覆うようにカバーが設けられており、該カバーの外周側にカバーと略同面積の補強帯が設けられている電動送風機が特許文献２に記載されている。
【０００７】
その一方で、近年の電気掃除機は、従来の電気掃除機に比べて一段とモータの高出力化が図られており、モータは４００００rpmを超える高速回転が可能となっている。そして、電気掃除機は、そのようなモータのパフォーマンスが十分に反映されるように、電動送風機の排気抵抗を低く抑える必要もある。
【先行技術文献】
【特許文献】
【０００８】
【特許文献１】特開２００１−３４６７３２号公報
【特許文献２】特開２０１１−１６３１５３号公報
【発明の概要】
【発明が解決しようとする課題】
【０００９】
しかしながら、特許文献１に記載の発明においては、モータハウジングの外周面全体を覆うようにカバーを配置しており、排気口からの空気の排出が妨げられる恐れがある。同様に特許文献２に記載の発明においては、モータハウジングの外周面全体を覆うようにカバーと補強帯とを配置しており、排気口からの空気の排出が妨げられる恐れがある。つまり、電気掃除機としては、電動送風機の排気抵抗が増してモータの出力に見合った吸込仕事率を十分に発揮することができなくなる恐れがある。
【００１０】
そこで、本発明の目的は、騒音を低減しつつ優れた吸込仕事率を発揮することができる電動送風機及びそれを備えた電気掃除機を提供することにある。
【課題を解決するための手段】
【００１１】
本発明では、モータと、前記モータの回転軸に連結されるファンと、一方が開口された有底形状であり前記モータを覆うモータハウジングと、前記モータハウジングの開口側に設けられ前記ファンを覆うファンハウジングと、前記モータハウジングの側面を覆うカバーとを有し、前記モータの回転軸の端部は軸受を介して前記モータハウジングの底部に支持され、前記モータハウジングは側面に１つ以上の排気口を有し、前記カバーは、発泡体からなるカバーベースと、補強部材と、からなり、前記モータハウジングの開口から底部に向かう方向における前記補強部材の長さは、前記モータハウジングの開口から底部に向かう方向における前記カバーベースの長さよりも短く、かつ前記モータハウジングの開口から底部に向かう方向における前記排気口の長さよりも長く、前記補強部材を前記排気口を覆う位置に設けた。
【発明の効果】
【００１２】
本発明によれば、モータと、前記モータの回転軸に連結されるファンと、一方が開口された有底形状であり前記モータを覆うモータハウジングと、前記モータハウジングの開口側に設けられ前記ファンを覆うファンハウジングと、前記モータハウジングの側面を覆うカバーとを有し、前記モータの回転軸の端部は軸受を介して前記モータハウジングの底部に支持され、前記モータハウジングは側面に１つ以上の排気口を有し、前記カバーは、発泡体からなるカバーベースと、補強部材と、からなり、前記モータハウジングの開口から底部に向かう方向における前記補強部材の長さは、前記モータハウジングの開口から底部に向かう方向における前記カバーベースの長さよりも短く、かつ前記モータハウジングの開口から底部に向かう方向における前記排気口の長さよりも長く、前記補強部材を前記排気口を覆う位置に設けたことにより、騒音を低減しつつ優れた吸込仕事率を発揮することができる電気掃除機を提供することができる。
【図面の簡単な説明】
【００１３】
【図１】本発明の実施形態に係る電気掃除機の外観斜視図である。
【図２】図１に示す電気掃除機の掃除機本体の縦断面図である。
【図３】図１に示す電気掃除機の電動送風機の半縦断面図である。
【図４】本発明の電気掃除機における電動送風機にカバーと補強帯が取り付けられた様子を示す斜視図である。
【図５】図４の電動送風機を後側から見た際の、カバーの配置を示す電動送風機の背面図である。
【図６】本発明の電気掃除機における電動送風機にカバーと補強帯が取り付けられた様子を示す模式側面図である。
【発明を実施するための形態】
【００１４】
以下に、本発明の実施形態について適宜図面を参照しながら詳細に説明する。
【００１５】
なお、以下の説明における前後の方向は、図１に示す掃除機本体２０１の前後の方向を基準とする。
【００１６】
図１に示すように、本実施形態に係る電気掃除機１０は、後記する電動送風機２０（図２参照）を内側に収納する掃除機本体２０１を備えると共に、この掃除機本体２０１の前側には、ホース２０２と、手元操作部２０３と、延長管２０４と、吸口体２０５とがこの順番に接続されて構成されている。
【００１７】
なお、図１中、符号２０６は、手元操作部２０３に設けられ、電動送風機２０（図２参照）をオンオフするスイッチ操作部である。
【００１８】
掃除機本体２０１は、図２に示すように、所定のケースＣ内の前側に集塵室１２が区画されると共に、後側に電動送風機室１５が区画されている。この集塵室１２と電動送風機室１５とは、フィルタ部１４を介して連通している。
【００１９】
集塵室１２には、紙パック１３が収納されている。この紙パック１３の開口は、ホース２０２（図１参照）が接続されるホース継ぎ手１１側に位置するように配置されている。
【００２０】
なお、本実施形態の電気掃除機１０では、紙パック１３を使用する方式について説明しているが、本発明はサイクロン方式のものであってもよい。ちなみに、サイクロン方式の電気掃除機は、集塵室１２に対応する部分にサイクロン室が形成されることとなる。
【００２１】
電動送風機室１５には、電動送風機２０が収納されている。この電動送風機２０は、その前側に形成された後記する吸入口２６がフィルタ部１４側（掃除機本体２０１の前側）に向くように、そして、後記する第１排気口２７が電動送風機室１５の後端側に向くように配置されて、防振ゴム１７を介して電動送風機室１５内に懸架されている。
【００２２】
この電動送風機２０には、後記するように、カバー１６（図４参照）が取り付けられているが、図２においては、作図の便宜上、その記載を省略している。
【００２３】
電動送風機２０は、図３に示すように、送風機構２３がファンハウジング２１内に収納され、モータ３０がモータハウジング２２内に収納されて構成されている。
【００２４】
送風機構２３は、遠心ファン２４とディフューザ２５とを備えている。
【００２５】
遠心ファン２４は、後記するモータ３０の回転軸３５にナット等の締結具で固定され、起動したモータ３０によって回転軸３５の軸周りに回転するようになっている。本実施形態での遠心ファン２４の外径は、モータ３０の外径よりも大きい。
【００２６】
ディフューザ２５は、遠心ファン２４の遠心方向に配置されたディフューザベーン２５ａと、このディフューザベーン２５ａの後方に、仕切板２５ｂを介して配置されたリターンガイドベーン２５ｃとで構成されている。
【００２７】
モータ３０は、図３に示すように、固定子３１と、電機子３２と、ブラシ３３とを備えて構成されている。
【００２８】
固定子３１は、電機子３２の周囲を取り囲むように配置される固定子鉄心３１ａと、この固定子鉄心３１ａに巻回された界磁巻線３１ｂとを備えて構成されている。
【００２９】
電機子３２は、固定子３１の内側で前後方向に延びるように配置され、その両端を軸受３４で支承される回転軸３５と、この回転軸３５に取り付けられる電機子鉄心４０と、この電機子鉄心４０に巻回された電機子巻線３６と、電機子巻線３６と電気的に接続されると共に回転軸３５の後部に取り付けられる整流子３７とを備えている。
【００３０】
なお、固定子鉄心３１ａの内周面と電機子鉄心４０の外周面とは、所定のギャップを有するように配置されている。
【００３１】
ブラシ３３は、本実施形態に係るモータ３０においては、整流子３７を挟むように一対設けられ、これらは後記するモータハウジング２２の後部に取り付けられたブラシホルダ３８に保持されている。また、ブラシ３３は、回転軸３５と共に回転する整流子３７に対して摺接可能となっていると共に、固定子３１の界磁巻線３１ｂと電気的に接続されている。
【００３２】
このモータ３０においては、このモータ３０の図示しない端子間に商用交流電圧が印加されると、電動機電流は、界磁巻線３１ｂを介してブラシ３３に流れる。また、ブラシ３３と整流子３７との摺接によって電機子３２の電機子巻線３６に電流が流れる。この際、整流子３７の整流作用に基づいて固定子３１及び電機子３２にそれぞれ生起した磁束の相互作用によって、固定子３１の内側で電機子３２が電動機電流の大きさに応じた所定の回転速度及びトルクで回転する。
【００３３】
ファンハウジング２１及びモータハウジング２２は、互いに外径の異なる略円筒形状に形成されており、ファンハウジング２１の外径は、モータハウジング２２の外径よりも大きくなっている。
【００３４】
モータハウジング２２には、図３から図５に示すように、４つの第１排気口２７（２７ａ，２７ａ，２７ｂ，２７ｂ）が形成されている。なお、図３から図５において、符号１６は、後に詳しく説明するカバーである。
【００３５】
第１排気口２７ａは、図４及び図５に示すように、モータハウジング２２の後部で一対のブラシホルダ３８，３８のそれぞれに隣接するように形成されている。具体的には、第１排気口２７ａ，２７ａは、モータハウジング２２の周面から後端面に跨るように形成されている。
【００３６】
また、第１排気口２７ｂは、図３に示すように、モータハウジング２２の周面で矩形に開口するように形成されると共に、図５に示すように、前記した第１排気口２７ａとでブラシホルダ３８を挟むように、モータハウジング２２の周面に形成されている。
【００３７】
ファンハウジング２１には、図３に示すように、その前面に前記した吸入口２６が形成されている。この吸入口２６は、いわゆる目玉部とも称される。
【００３８】
また、ファンハウジング２１には、吸入口２６が形成される前面とは反対側の後面に第２排気口２８が円弧状の長穴として形成されている。更に詳しく説明すると、この第２排気口２８は、図４及び図５に示すように、モータハウジング２２から拡径したファンハウジング２１に続く段差部分２９に形成されている。
【００３９】
本実施形態での第２排気口２８は、図５に示すように、ファンハウジング２１の周方向に沿って延びるスリット状の長穴で形成されており、モータ３０（図３参照）の回転軸３５の中心３９に対して相互に点対称となる位置に一対形成されている。そして、第２排気口２８，２８の位置は、モータ３０の回転軸３５方向から見ると、一対のブラシホルダ３８，３８の位置に対して、位相が略９０度ずれた位置となっている。
【００４０】
また、第２排気口２８，２８は、モータ３０の回転軸３５方向から見ると、ブラシ３３の形成位置以外の位置に形成されている。言い換えると、モータ３０の回転軸３５の軸方向から見て、第２排気口２８，２８は、ブラシホルダ３８の輪郭を避けるように形成されている。
【００４１】
ちなみに、第２排気口２８の形状及び数は、特に制限はなく、その形状は、円形、楕円形、多角形等に形成することができるし、その数は３以上とすることができる。
【００４２】
次に、カバー１６について説明する。
【００４３】
カバー１６は、図４及び図５に示すように、モータハウジング２２、つまり特許請求の範囲にいう「モータの配置位置に対応するハウジング部分」の周面を取り囲むように配置された筒状体であり、モータ３０の回転軸３５（図５参照）に直交する断面視で略楕円形状を呈している。
【００４４】
本実施形態でのカバー１６は、板状のカバー１６をモータハウジング２２の周面を巻回し、その端縁同士を接合して形成したものであり、底面が楕円形状の略円筒で構成されている。このカバー１６は、予め筒状に成形したものであってもよい。
【００４５】
ここで、カバー１６の前後方向（軸方向）の長さは、モータハウジング２２に形成される第１排気口２７ａ，２７ｂを確実に覆うことができる長さとする。つまり、カバー１６の前後方向（軸方向）の長さが第１排気口２７ａ，２７ｂの前後方向（軸方向）の長さよりも長いものとする。このようにすることで、第１排気口２７ａ，２７ｂから流出する空気とともに発生する流体音を確実に低減し、騒音を抑えることができる。一般的な家庭用電気掃除機におけるファンハウジング２１から後方ハウジング部分は６０mm前後のため、カバー１６の前後方向の長さとしては６０mmから長くても８０mm程度あればよい。なお、第１排気口２７ａ，２７ｂの内側には電動送風機２０のモータ３０が位置しているため、カバー１６により第１排気口２７ａ，２７ｂを覆うことにより万が一モータ３０から発火が起きた場合に第１排気口２７ａ，２７ｂから周囲へ火が飛び掃除機本体が延焼するのを防止する効果もある。
【００４６】
以上のようなカバー１６は、連続気泡の発泡体からなる所定の厚さを有する板状のカバーベース１６ａと、このカバーベース１６ａの外周面を被覆するように配置される板状の補強帯１６ｂとで構成されている。本実施例においては、カバーベース１６ａ、補強帯１６ｂのどちらも可撓性を有しており、上記のように略円筒形状カバー１６の作成を行うことができる。カバーベース１６ａは、モータ２０の騒音や振動を低減するために用いられている。
【００４７】
本実施形態での発泡体は、難燃処理を施したウレタンフォームが使用されている。この発泡体としては、連続気泡を有するものであれば特に制限はないが、難燃性を有する弾性体であることが望ましい。カバーベース１６ａが難燃性を有する弾性体であれば、モータ２０からの万が一の発火を抑える効果を得ることができる。カバーベース１６ａを単体で使用する場合、その強度と難燃性を確保するために厚みは１０mm程度とするのが好ましい。ただし補強帯１６ｂを設ける場合にはカバーベース１６ａの厚みを５mm程度に抑え、排気抵抗を軽減することができる。
【００４８】
補強帯１６ｂは、カバーベース１６ａを組み込む際に強度を確保する効果と、モータ２０からの発火を抑える効果を得るために設けられている。補強帯１６ｂは板状に抜いたものを、カバーベース１６ａに重ねてモータハウジング２２の周面を巻回し、その端縁同士を接合して形成すると部品点数が削減できる。ただしあらかじめ単体で巻回してその端縁同士を接合して形成し、組み立ての際に同じく筒状に形成したカバーベース１６ａに重ねてもよい。補強帯１６ｂの材質は、所定の強度と可撓性を有するものであれば特に制限はないが、中でもガラス繊維からなる織布又は不織布であれば入手が容易でありコスト面や加工性、通気性を考慮すると望ましい。また、耐炎化されたアクリル繊維からなる織布又は不織布などでもよい。厚みは０．５mm程度あればその強度と難燃性を確保できる。
【００４９】
そして、本実施形態での補強帯１６ｂの前後方向の長さはカバーベース１６ａの前後方向の長さより短くなっており、側面方向から見た場合に第１排気口２７ａ，２７ｂを覆う位置に来るように設けられている。本実施例においては、カバーベース１６ａの前後方向の長さはモータハウジング２２の前後方向の長さよりも長く、モータハウジング２２を覆うように設けられている。モータハウジング２２をカバーベース１６ａで覆うことにより、モータ２０の振動がモータハウジング２２に伝わったとしても、モータハウジング２２から掃除機本体への振動の伝達の抑制と、モータ２０の騒音を低減することができる。
【００５０】
補強帯１６ｂの前後方向の長さは第１排気口２７の前後方向の長さよりも長くモータハウジング２２の前後方向の長さよりも短く、第１排気口２７を覆うように設けられているため、モータ２０の騒音をより確実に低減することができる。また、モータ２０からの万が一の発火が起きた場合も第１排気口２７を通り掃除機本体に移ることを防いでいる。また、モータ２０からの万が一の発火が起きた場合も第１排気口２７を通り掃除機本体に移ることを防いでいる。
【００５１】
また、本実施形態においては第１排気口２７ａ，２７ａは、モータハウジング２２の周面から後端面に跨るように形成されているため、より確実に騒音の低減および延焼の防止を図るためには側面だけでなく後端面側も覆うのが望ましい。そのための形態としてはカバーベース１６ａおよび補強帯１６ｂを後端面側まで伸ばし袋状に成型することや、後端面側のみを覆う別部材のカバー１６を追加すること等が挙げられる。
【００５２】
次に、本実施形態に係る電気掃除機１０の動作について説明しながら作用効果について説明する。
【００５３】
この電気掃除機１０は、図３に示す電動送風機２０のモータ３０によって回転した遠心ファン２４は、吸入口２６から吸い込んだ空気を昇圧して吸込気流を発生させる。そして、吸込気流は、ディフューザ２５を介して、モータハウジング２２内の風路から第１排気口２７から排気されると共に、ファンハウジング２１の第２排気口２８から排気される。
【００５４】
その一方で、電気掃除機１０は、電動送風機２０が空気を吸入口２６から吸い込むことによって、塵埃を含有する空気を、前記した吸口体２０５（図１参照）等を介してホース継ぎ手１１側から集塵室１２内に吸引する。吸引された塵埃を含有する空気は、紙パック１３内に導入される。そして、紙パック１３でろ過された空気は、フィルタ部１４を介して電動送風機２０の吸入口２６から吸い込まれることとなる。この際、集塵室１２内に吸引された空気に含有する塵埃の大部分は、紙パック１３で取り除かれると共に、フィルタ部１４を空気が通過することによって細かな塵埃も取り除かれる。
【００５５】
そして、以上のような電気掃除機１０によれば、電動送風機２０が吸入口２６から吸い込んだ空気は、前記したように、第１排気口２７から排出されると共に、第２排気口２８からも排出されるので、２方向の空気の排出経路が確保される。したがって、このような電動送風機２０を備える電気掃除機１０によれば、電動送風機２０における排気抵抗が減少するので、吸込仕事率を向上させることができる。
【００５６】
また、この電気掃除機１０によれば、第２排気口２８がモータ３０の回転軸３５を中心として円周方向に延びて形成されているので、遠心ファン２４が生起した吸込気流は、効率よく第２排気口２８から排出される。その結果、電気掃除機１０の吸込仕事率を、より確実に向上させることができる。
【００５７】
また、この電気掃除機１０によれば、第２排気口２８がモータ３０の回転軸３５を中心として円周方向に複数形成されているので、遠心ファン２４が生起した吸込気流は、効率よく第２排気口２８から排出される。その結果、電気掃除機１０の吸込仕事率を、より確実に向上させることができる。
【００５８】
また、この電気掃除機１０によれば、第２排気口２８は、モータ３０の回転軸３５方向から見て、ブラシ３３（ブラシホルダ３８）の形成位置以外の位置に形成されており、ブラシ３３（ブラシホルダ３８）の輪郭を避けるように形成されているので、第２排気口２８から排出される気流がブラシホルダ３８に突き当たることなく、円滑に排出されることとなる。その結果、第２排気口２８からの排気抵抗が低く抑えられるので、電気掃除機１０の吸込仕事率を、より確実に向上させることができる。
【００５９】
図６は、本発明の電気掃除機における電動送風機の模式側面図であり、第１排気口２７に対するカバーベース１６ａと補強帯１６ｂの配置の様子を示す図である。
【００６０】
また、この電気掃除機１０によれば、カバーベース１６ａがウレタンフォームを含む材料によって構成されているので、モータ３０の騒音及び振動を効率よく低減すると共に、その通気性によって、電動送風機２０における排気抵抗をより低く抑えることができる。
【００６１】
また、このような電気掃除機１０によれば、カバーベース１６ａと補強帯１６ｂとにより第１排気口２７を覆うことで、第１排気口２７から流出する空気に対する排気抵抗はカバーベース１６ａと補強帯１６ｂが重なっている流出方向が最も大きくなるため、空気はカバーベース１６ａのみに覆われている前後部分に分散して流れようとするため、それに伴う流体音も前後に分散することが可能となり、騒音を低減することができる。また、カバーベース１６ａと補強帯１６ｂからなるカバー１６が第１排気口２７を覆っているので、例えばモータ３０が老朽化することでブラシ３３に対する整流子３７の摺接時に万一火花が発生したとしても、第１排気口２７からその火花が周囲に飛散することをカバー１６によって防止することができる。また、補強帯１６ｂを設けていることによりカバーベース１６ａは極力薄くすることが可能になり、また、補強帯１６ｂは第１排気口２７の上のみを覆っているため、気流は補強帯１６ｂが覆われていないカバーベース１６ａのみに覆われている領域から流出することが可能となるため、電動送風機２０における排気抵抗をより低く抑えることができる。これにより、モータの出力に見合った吸込仕事率を十分に発揮することができる。
【００６２】
以上、本発明の実施形態について説明したが、本発明は前記実施形態に限定されず、種々の他の形態で実施することができる。なお、以下に本発明の他の実施形態について説明するが、前記実施形態と同一の構成要素については同一の符号を付してその詳細な説明は省略する。
【００６３】
前記実施形態に係る電気掃除機１０の電動送風機２０は、カバー１６として、カバーベース１６ａとその周囲に補強帯１６ｂを覆ったものを使用したが、補強帯１６ａをモータハウジング２２側にしその周囲をカバーベース１６ａで覆ってもよい。
【００６４】
このような第１変形例に係る電気掃除機１０によれば、補強帯１６ｂがカバー１６の内側に配置されているので、カバー１６をモータ３０に組み込もうとしてブラシホルダ３８に引っかかった際にカバーベース１６ａが破損するのを防止することができる。
【００６５】
また、別実施形態として、カバーベース１６ａを２枚用意し、カバーベース１６ａとカバーベース１６ａの間に補強帯１６ｂを設ける構成としても良い。本構成によると高い防音性や振動抑制効果を得ることが可能となる。
【００６６】
更に別の実施形態として、補強帯１６ａを２枚用意し、カバーベース１６ａの内外に設ける構成としても良い。本構成によると万一の火花発生の更なる抑制が可能となり、２枚の補強帯１６ａを第１排気口２７を覆うように設ければ第１の実施形態と同程度の排気抵抗となりモータの出力に見合った吸込仕事率を十分に発揮することができる。
【符号の説明】
【００６７】
１０  電気掃除機
１６  カバー
１６ａ  カバーベース
１６ｂ  補強帯
２０  電動送風機
２１  ファンハウジング
２２  モータハウジング
２３  送風機構
２４  遠心ファン
２５  ディフューザ
２６  吸入口
２７，２７ａ，２７ｂ  第１排気口
２８  第２排気口
２９  段差部分
３０  モータ
３１  固定子
３３  ブラシ
３４  軸受
３５  回転軸
３７  整流子
３８  ブラシホルダ
Ｃ  ケース
【図１】
2013085852.tif 000003
【図２】
2013085852.tif 000004
【図３】
2013085852.tif 000005
【図４】
2013085852.tif 000006
【図５】
2013085852.tif 000007
【図６】
2013085852.tif 000008